(57)【特許請求の範囲】
【請求項１】
無線通信システムにおいてデータを送信する方法であって、
通信受信ノードに向けられたデータを、高優先度コードストリームと低優先度コードストリームとに分割することと、
前記高優先度コードストリームを、前記通信受信ノードと中継ノードとに送信することと、
前記低優先度コードストリームを、前記通信受信ノードに送信することとを含み、
前記中継ノードは、前記高優先度コードストリームを受信し、増幅して、前記通信受信ノードに転送するように構成されており、
前記通信受信ノードは、前記高優先度コードストリームを実質的に第１の時間間隔の間に受信するように構成され、前記低優先度コードストリームと前記増幅された高優先度コードストリームの両方を実質的に前記第１の時間間隔とインターリーブされた第２の時間間隔の間に受信するようにさらに構成されている、
方法。
【請求項２】
前記データが前記高優先度コードストリームと低優先度コードストリームとに分割され、前記高優先度コードストリームと低優先度コードストリームとが通信送信ノードによって送信される、請求項１に記載の方法。
【請求項３】
前記高優先度コードストリームが前記通信受信ノードのための基本通信サービスを保証するように構成されている、請求項１に記載の方法。
【請求項４】
前記低優先度コードストリームが前記通信受信ノードのための通信サービスを強化するように構成されている、請求項３に記載の方法。
【請求項５】
前記高優先度コードストリームを前記通信受信ノードと中継ノードとに送信することが、前記高優先度コードストリームに含まれるデータを前記第１の時間間隔の間に送信することを含み、
前記低優先度コードストリームを前記通信受信ノードに送信することが、前記低優先度コードストリームに含まれるデータを前記第２の時間間隔の間に送信することを含む、
請求項１に記載の方法。
【請求項６】
通信受信ノードに向けられたデータを、高優先度コードストリームと低優先度コードストリームとに分割することと、
前記高優先度コードストリームを、前記通信受信ノードと中継ノードとに送信することと、
前記低優先度コードストリームを、前記通信受信ノードに送信することと
を含む動作を行うように、コンピューティングデバイスによって実行可能なコンピュータ実行可能命令が記憶されているコンピュータ可読記憶媒体であって、
前記中継ノードは、前記高優先度コードストリームを増幅して、前記通信受信ノードに転送するように構成されており、
前記通信受信ノードは、前記高優先度コードストリームを実質的に第１の時間間隔の間に受信するように構成され、前記低優先度コードストリームと前記増幅された高優先度コードストリームの両方を実質的に前記第１の時間間隔とインターリーブされた第２の時間間隔の間に受信するようにさらに構成されている、
コンピュータ可読記憶媒体。
【請求項７】
前記コンピューティングデバイスが通信送信ノードに含まれている、請求項６に記載のコンピュータ可読記憶媒体。
【請求項８】
前記通信送信ノードが基地局またはｅＮＢを含む、請求項７に記載のコンピュータ可読記憶媒体。
【請求項９】
前記高優先度コードストリームが前記通信受信ノードのための基本通信サービスを保証するように構成されている、請求項６に記載のコンピュータ可読記憶媒体。
【請求項１０】
前記低優先度コードストリームが前記通信受信ノードのための通信サービスを強化するように構成されている、請求項６に記載のコンピュータ可読記憶媒体。
【請求項１１】
前記高優先度コードストリームを前記通信受信ノードと中継ノードとに送信することが、前記高優先度コードストリームに含まれるデータを前記第１の時間間隔の間に送信することを含み、
前記低優先度コードストリームを前記通信受信ノードに送信することが、前記低優先度コードストリームに含まれるデータを前記第２の時間間隔の間に送信することを含む、
請求項６に記載のコンピュータ可読記憶媒体。
【請求項１２】
無線通信システムにおいて、高優先度コードストリームと低優先度コードストリームとに分割されたデータを受信する方法であって、
実質的に第１の時間間隔の間に、前記高優先度コードストリームを通信送信ノードから受信することと、
実質的に第２の時間間隔の間に、前記低優先度コードストリームを前記通信送信ノードから受信することと、
実質的に前記第２の時間間隔の間に、増幅された高優先度コードストリームを中継ノードから受信することと
を含む方法。
【請求項１３】
前記増幅された高優先度コードストリームを前記低優先度コードストリームから分離することをさらに含む、請求項１２に記載の方法。
【請求項１４】
前記増幅された高優先度コードストリームを前記低優先度コードストリームから分離することが、前記受信された低優先度コードストリームと前記増幅された高優先度コードストリームとの最小平均２乗誤差解析を実行することを含む、請求項１３に記載の方法。
【請求項１５】
前記高優先度コードストリームが、前記高優先度コードストリームを受信する通信受信ノードのための基本通信サービスを保証するように構成されている、請求項１２に記載の方法。
【請求項１６】
前記低優先度コードストリームが前記通信受信ノードのための通信サービスを強化するように構成されている、請求項１５に記載の方法。
【請求項１７】
実質的に前記第１の時間間隔の間に前記高優先度コードストリームを受信し実質的に前記第２の時間間隔の間に増幅された前記高優先度コードストリームを受信することが、前記高優先度コードストリームに含まれるデータに対する時間ダイバーシティを提供する、請求項１２に記載の方法。
【請求項１８】
高優先度コードストリームと低優先度コードストリームとに分割されたデータを受信する動作であって、
実質的に第１の時間間隔の間に、前記高優先度コードストリームを通信送信ノードから受信することと、
実質的に第２の時間間隔の間に、前記低優先度コードストリームを前記通信送信ノードから受信することと、
実質的に前記第２の時間間隔の間に、増幅された高優先度コードストリームを中継ノードから受信することと
を含む動作を行うように、コンピューティングデバイスによって実行可能なコンピュータ実行可能命令が記憶されているコンピュータ可読記憶媒体。
【請求項１９】
前記コンピューティングデバイスが通信受信ノードに含まれている、請求項１８に記載のコンピュータ可読記憶媒体。
【請求項２０】
前記通信受信ノードが携帯電話、スマートフォン、またはラップトップコンピュータを含む、請求項１９に記載のコンピュータ可読記憶媒体。
【請求項２１】
前記動作が前記増幅された高優先度コードストリームを前記低優先度コードストリームから分離することをさらに含む、請求項１８に記載のコンピュータ可読記憶媒体。
【請求項２２】
前記増幅された高優先度コードストリームを前記低優先度コードストリームから分離することが、前記受信された低優先度コードストリームと前記増幅された高優先度コードストリームとの最小平均２乗誤差解析を実行することを含む、請求項２１に記載のコンピュータ可読記憶媒体。
【請求項２３】
前記高優先度コードストリームが、前記高優先度コードストリームを受信する通信受信ノードのための基本通信サービスを保証するように構成されている、請求項１８に記載のコンピュータ可読記憶媒体。
【請求項２４】
前記低優先度コードストリームが前記通信受信ノードのための通信サービスを強化するように構成されている、請求項２３に記載のコンピュータ可読記憶媒体。
【請求項２５】
データを高優先度コードストリームと低優先度コードストリームとに分割し、前記高優先度および低優先度コードストリームを送信するように構成された通信送信ノードと、
前記高優先度コードストリームを受信し、増幅して、転送するように構成された中継ノードと、
実質的に第１の時間間隔の間に、前記高優先度コードストリームを前記通信送信ノードから受信し、
実質的に第２の時間間隔の間に、前記低優先度コードストリームを前記通信送信ノードから受信し、
実質的に前記第２の時間間隔の間に、前記増幅された高優先度コードストリームを前記中継ノードから受信する
ように構成された通信受信ノードと
を含む無線通信システム。
【請求項２６】
前記通信送信ノードの送信パワーが約３５ｄＢｍである、請求項２５に記載の無線通信システム。
【請求項２７】
前記通信送信ノードの送信パワーが約２０ｄＢｍである、請求項２５に記載の無線通信システム。
【請求項２８】
前記無線通信システムにおける信号対雑音比が約１８ｄＢである、請求項２５に記載の無線通信システム。
【請求項２９】
ｒが、前記通信送信ノードからの最大送信距離であり、さらに約０．７５ｒよりも長い距離における前記無線通信システムの能力が、前記中継ノードを含まない無線通信システムの場合よりも１０％から５０％高い範囲にある、請求項２５に記載の無線通信システム。
【請求項３０】
前記通信送信ノードと前記中継ノードとの間の距離が、約０．５ｒである、請求項２９に記載の無線通信システム。
【請求項３１】
前記通信送信ノードが基地局またはｅＮＢを含む、請求項２５に記載の無線通信システム。
【請求項３２】
前記通信受信ノードが携帯電話、スマートフォン、またはラップトップコンピュータを含む、請求項２５に記載の無線通信システム。
【発明の詳細な説明】
【背景技術】
【０００１】
本明細書において別段の断りがない限り、本明細書に記載されている内容は、本出願の特許請求の範囲に対する従来技術ではなく、本項目に含めることによって従来技術であると認めるものでもない。
【０００２】
今日では、無線通信システムは、多くの場合に、複数の基地局を有するように構成され、高カバレッジブロードキャスト送信モードを採用しており、この場合、それぞれの基地局がその近傍にあるユーザ機器に独立に送信する。換言するならば、データ送信は、通常、基地局からユーザ機器に単独リンクを介して行われる。単独リンク送信が広範囲に用いられていることに起因して、データ送信処理にフェージングが生じやすく、その結果、間違いやユーザにおける動作停止の発生率が増加する可能性がある。例えば、セルエッジに近いユーザ機器にとっては、送信中に大きな損失があると、ユーザ機器の受信能力が著しく損なわれる可能性がある。
【発明の概要】
【０００３】
本明細書に記載されている技法は、一般に、１つまたは複数の中継ノードを含む無線通信システムにおける階層的なデータ送信に関する。
【０００４】
いくつかの例において、無線通信システムにおいてデータを送信する方法が説明される。この方法は、通信受信ノードに向けられたデータを、高優先度コードストリームと低優先度コードストリームとに分割することを含みうる。この方法は、また、高優先度コードストリームを、通信受信ノードと中継ノードとに送信することを含みうる。この方法は、また、低優先度コードストリームを、通信受信ノードに送信することを含みうる。中継ノードは、高優先度コードストリームを受信し、増幅して、通信受信ノードに転送するように構成されうる。通信受信ノードは、高優先度コードストリームを実質的に第１の時間間隔の間に受信するように構成され、低優先度コードストリームと増幅された高優先度コードストリームの両方を実質的に第１の時間間隔とインターリーブされた第２の時間間隔の間に受信するようにさらに構成されうる。
【０００５】
いくつかの実施形態において、動作を行うように、コンピューティングデバイスによって実行可能なコンピュータ実行可能命令が記憶されているコンピュータ可読記憶媒体が説明される。この動作は、通信受信ノードに向けられたデータを、高優先度コードストリームと低優先度コードストリームとに分割することを含みうる。動作はまた、高優先度コードストリームを、通信受信ノードと中継ノードとに送信することを含みうる。動作はまた、低優先度コードストリームを、通信受信ノードに送信することを含みうる。中継ノードは、高優先度コードストリームを受信し、増幅して、通信受信ノードに転送するように構成されうる。通信受信ノードは、高優先度コードストリームを実質的に第１の時間間隔の間に受信するように構成され、低優先度コードストリームと増幅された高優先度コードストリームの両方を実質的に第１の時間間隔とインターリーブされた第２の時間間隔の間に受信するようにさらに構成されうる。
【０００６】
いくつかの例において、無線通信システムにおいてデータを受信する方法が説明される。この方法は、実質的に第１の時間間隔の間に高優先度コードストリームを通信送信ノードから受信することを含みうる。この方法は、また、実質的に第２の時間間隔の間に低優先度コードストリームを通信送信ノードから受信することを含みうる。方法はまた、実質的に第２の時間間隔の間に、増幅された高優先度コードストリームを中継ノードから受信することを含みうる。
【０００７】
いくつかの例において、動作を行うように、コンピューティングデバイスによって実行可能なコンピュータ実行可能命令が記憶されているコンピュータ可読記憶媒体が説明される。この動作は、実質的に第１の時間間隔の間に高優先度コードストリームを通信送信ノードから受信することを含みうる。動作はまた、実質的に第２の時間間隔の間に低優先度コードストリームを通信送信ノードから受信することを含みうる。動作はまた、実質的に第２の時間間隔の間に、増幅された高優先度コードストリームを中継ノードから受信することを含みうる。
【０００８】
いくつかの例において、通信送信ノードと中継ノードと通信受信ノードとを含みうる無線通信システムが説明される。通信送信ノードは、データを高優先度コードストリームと低優先度コードストリームとに分割して、高優先度および低優先度コードストリームを送信するように構成されうる。中継ノードは、高優先度コードストリームを受信し、増幅して、転送するように構成されうる。通信受信ノードは、実質的に第１の時間間隔の間に高優先度コードストリームを通信送信ノードから受信し、実質的に第２の時間間隔の間に低優先度コードストリームを通信送信ノードから受信し、実質的に第２の時間間隔の間に増幅された高優先度コードストリームを中継ノードから受信するように構成されうる。
【０００９】
以上の概要は、単に例示にすぎず、いかなる意味でも限定を意図していない。上述した例示的な態様、実施形態および特徴に加え、別の態様、実施形態および特徴が、図面と以下の詳細な説明とを参照することによって、明らかになるであろう。
【図面の簡単な説明】
【００１０】
【図１】通信送信ノードと中継ノードと通信受信ノードとを含む無線通信システムの図である。
【図２】図１の無線通信システムにおいて送信および受信されるデータの概略図である。
【図３】図１の通信送信ノードと通信受信ノードとの例示的な実施形態のブロック図である。
【図４】無線通信システムにおいてデータを送信する方法の例示的な流れ図である。
【図５】無線通信システムにおいてデータを受信する方法の例示的な流れ図である。
【図６】様々な無線通信システム間で能力を比較するグラフである。
【図７】様々な無線通信システム間で動作停止発生率を比較するグラフである。
【発明を実施するための形態】
【００１１】
なお、以上の図に示されているのは、すべて、本明細書に記載されている少なくともいくつかの実施形態に従って構成されたものである。
【００１２】
以下の詳細な説明では添付の図面を参照するが、これらの図面は、本明細書の一部を形成する。図面では、通常、文脈により別段の指示がない限り、類似の記号は類似のコンポーネントを識別する。詳細な説明、図面、および特許請求の範囲に記載されている説明のための実施形態は、限定的であることを意図していない。本明細書において提示される主題の精神または範囲から逸脱することなく、他の実施形態を用いることが可能であり、他の変更を行うことが可能である。本明細書で概括的に記載され図面に例示されている本開示の複数の態様は、広範な異なる構成で配列され、置き換えられ、組み合わされ、分離され、設計されてもよく、これらのすべてについて、本明細書で明示的に考察されることが容易に理解できよう。
【００１３】
本明細書に開示されているいくつかの実施形態は、広く、１つまたは複数の中継ノードを含む無線通信システムにおいてデータを階層的に送信する技術に関する。例えば、概して、携帯電話、スマートフォン、またはラップトップコンピュータなどの通信受信ノードに向けられたデータは、基地局またはｅＮＢ（ｅｖｏｌｖｅｄ  Ｎｏｄｅ  Ｂ）などの通信送信ノードによって、高優先度コードストリームと低優先度コードストリームとに分割されうる。両方のコードストリームは、高優先度コードストリームからのデータが第１の時間間隔の間に送信され、低優先度コードストリームからのデータが第１の時間間隔とインターリーブされた第２の時間間隔の間に送信されるように、通信受信ノードに送信されうる。
【００１４】
高優先度コードストリームは、第１の時間間隔の間に、通信受信ノードと中継ノードとの両方によって受信されうる。中継ノードは、通信送信ノードと同期化されており、高優先度コードストリームを増幅して第２の時間間隔の間に通信受信ノードに転送するように、構成されうる。したがって、第２の時間間隔の間には、通信受信ノードは、通信送信ノードからの低優先度コードストリームと、中継ノードからの増幅された高優先度コードストリームとの両方を受け取りうる。
【００１５】
高優先度コードストリームは、通信受信ノードのための基本通信サービスを保証するように構成されうる。低優先度コードストリームは、通信受信ノードのための通信サービスを強化するように構成されうる。第１の時間間隔の間には高優先度コードストリームを受信し第２の時間間隔の間には増幅された高優先度コードストリームを受信することにより、高優先度コードストリームに含まれているデータに対する時間ダイバーシティが与えられ、それによって、無線通信システムにおけるパフォーマンスが向上しうる。したがって、通信受信ノードが高優先度コードストリームおよび／または増幅された高優先度コードストリームだけを受信する場合、この通信受信ノードは、無線通信システムにおける基本通信サービスを依然として有しうる。通信受信ノードがさらに低優先度コードストリームを受信する場合には、通信受信ノードへの通信サービスは向上する可能性があり、それによって、その通信受信ノードと関連するユーザのユーザ体験が向上する。
【００１６】
本明細書に記載されている技術は、ＣＤＭＡ、ＴＤＭＡ、ＦＤＭＡ、ＯＦＤＭＡ、ＳＣ−ＦＤＭＡおよび他のシステムなど、様々な無線通信システムに対して用いることが可能である。「システム」という用語と「ネットワーク」という用語とは、相互に交換可能なものとして用いられることが多い。ＣＤＭＡシステムは、ユニバーサルテレストリアル無線アクセス（ＵＴＲＡ）やｃｄｍａ２０００などの無線技術を実装することができる。ＵＴＲＡは、広帯域ＣＤＭＡ（ＷＣＤＭＡ（登録商標））、およびＣＤＭＡの他の変形を含む。ｃｄｍａ２０００は、ＩＳ−２０００、ＩＳ−９５およびＩＳ−８５６の標準に及ぶ。ＴＤＭＡシステムは、グローバルシステムフォーモバイルコミュニケーションズ（ＧＳＭ（登録商標））などの無線技術を実装することができる。ＯＦＤＭＡシステムは、進化型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装することができる。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）は、Ｅ−ＵＴＲＡを用いるＵＭＴＳのリリースである。なお、Ｅ−ＵＴＲＡでは、ダウンリンクにはＯＦＤＭＡが用いられ、アップリンクにはＳＣ−ＦＤＭＡが用いられる。ＵＴＲＡ、Ｅ−ＵＴＲＡ、ＵＭＴＳ、ＬＴＥおよびＧＳＭ（登録商標）については、「第３世代パートナーシッププロジェクト」（３ＧＰＰ）と称される組織から出されている文書に記載されている。ｃｄｍａ２０００およびＵＭＢについては、「第３世代パートナーシッププロジェクト２」（３ＧＰＰ２）と称される組織から出されている文書に記載されている。
【００１７】
図１は、本明細書に記載されている少なくともいくつかの実施形態に従って構成されている通信送信ノード１０２と中継ノード１０４と通信受信ノード１０６とを含む無線通信システム１００の図である。例示されている実施形態では、無線通信システム１００は、通信送信ノード１０２によってサービスを受ける単一の「セル」として実施されている。より概括的には、無線通信システム１００は複数個のセルを含みうるが、それぞれのセルは、対応する通信送信ノード１０２によってサービスを受けることができる。これらのおよび他の実施形態では、通信送信ノード１０２は、例えば基地局やｅＮＢなどとして実施することができる。
【００１８】
いくつかの実施形態では、通信送信ノード１０２は、通信受信ノード１０６に向けられたデータを高優先度コードストリーム１０８と低優先度コードストリーム１１０とを含む２つのコードストリームに分割するように構成されうる。通信受信ノード１０６に向けられたデータには、例えば、ビデオデータ、音声データ、または他のデータが含まれうる。概して、高優先度コードストリーム１０８の中のデータは、通信受信ノード１０６が無線通信システム１００に首尾よくアクセスし、無線通信システム１００と基本的な通信を行うことを容易にするように構成されうるとともに、低優先度コードストリーム１１０の中のデータは、無線通信システム１００との間で強化された通信を提供するように構成されうる。
【００１９】
必須ではないが、いくつかの実施形態では、低優先度コードストリーム１１０は、高優先度コードストリーム１０８の場合よりもデータ流量が低い。例えば、時間経過に伴い、通信受信ノード１０６に向けられたデータの約１１／１６が高優先度コードストリーム１０８を経由して送信されうるのに対し、通信受信ノード１０６に向けられたデータの約５／１６が低優先度コードストリーム１０８を経由して送信されうる。
【００２０】
任意選択ではあるが、通信受信ノード１０６に向けられたデータは、符号化されたビデオデータが例えば基本レイヤと強化レイヤとを含むように、階層化されたビデオ符号化方式を用いて符号化されたビデオデータを含むことがある。これらのおよび他の実施形態では、高優先度コードストリーム１０８は、例えば、制御情報と符号化されたビデオデータの基本レイヤとを含みうる。制御情報は、通信受信ノード１０６が無線通信システム１００に首尾よくアクセスすることを容易にしうるとともに、ビデオデータの基本レイヤは、基本的なビデオ品質を提供しうる。あるいはまたは追加的に、低優先度コードストリーム１１０は、例えば、符号化されたビデオデータの強化レイヤを含みうる。符号化されたビデオデータの基本レイヤと符号化されたビデオデータの強化レイヤとを組み合わせることにより、通信受信ノード１０６は、符号化されたビデオデータの基本レイヤだけを用いた場合に可能であるよりも、より高い品質のビデオを提供することができる。
【００２１】
いくつかの実施形態では、通信送信ノード１０２は、等しいまたは異なる長さのタイムスロットにおいて、高優先度コードストリーム１０８に含まれるデータと低優先度コードストリーム１１０に含まれるデータとを交互の態様でインターリーブするように構成されうる。高優先度コードストリーム１０８からのデータがその間に送信されるタイムスロットを、以下では、「第１の時間間隔」と称し、低優先度コードストリーム１１０からのデータがその間に送信されるタイムスロットを、以下では、「第２の時間間隔」と称すことがある。本明細書において用いられる「送信処理」とは、第１の時間間隔とその直後の第２の時間間隔とにわたる通信送信ノード１０２による送信を示すことがある。
【００２２】
概して、中継ノード１０４は、例えば通信送信ノード１０２など上流の局からのデータの送信を受信し、例えば通信受信ノード１０６など下流の局へのデータの送信を送出するように構成されうる。これらのおよび他の実施形態では、中継ノード１０４は、受信モードと増幅／転送モードとを交互に行うことができる。受信モードは第１の時間間隔と同期がとれ、増幅／転送モードは第２の時間間隔と同期がとれているようにできる。例えば、受信モードにおいて、中継ノード１０４は、通信送信ノード１０２のそれぞれの送信処理の第１の時間間隔の間に高優先度コードストリーム１０８を受信するように構成されうる。あるいはまたは追加的に、増幅／転送モードにおいては、中継ノード１０４は、それぞれの送信処理の第２の時間間隔の間に高優先度コードストリーム１０８を増幅し通信受信ノード１０６に転送するように構成されうる。それぞれの送信処理の第２の時間間隔の間に中継ノード１０４によって増幅され通信受信ノード１０６に転送された高優先度コードストリーム１０８は、図１では、１１２で識別されており、以下では、「増幅された高優先度コードストリーム１１２」と称される。
【００２３】
通信受信ノード１０６は、端末、アクセス端末（ＡＴ）、モバイルステーション（ＭＳ）、ユーザ機器（ＵＥ）、加入者ユニット、または局などと称することがある。いくつかの実施形態では、通信受信ノード１０６は、これらに限定されることはないが、携帯電話、スマートフォン、もしくはラップトップコンピュータなど、またはこれらの組合せを含みうる。
【００２４】
通信受信ノード１０６は、ダウンリンク（例えば、高優先度および低優先度コードストリーム１０８、１１０および／または増幅された高優先度コードストリーム１１２）および／またはアップリンク（図示せず）を経由して、通信送信ノード１０２と通信することができる。ダウンリンク（または前方向リンク）とは、通信送信ノード１０２から通信受信ノード１０６への通信リンクを指し、アップリンク（または逆方向リンク）とは、通信受信ノード１０６から通信送信ノード１０２への通信リンクを指す。
【００２５】
通信受信ノード１０６は、概して、通信送信ノード１０２と中継ノード１０４とのどちらか一方または両方によって通信受信ノード１０６に送信されたデータを受信するように構成されている。いくつかの実施形態では、例えば、通信受信ノード１０６は、通信送信ノード１０２からの高優先度コードストリーム１０８および／または低優先度コードストリーム１１０に含まれているデータを受信するように構成されている。これらのまたは他の実施形態では、通信受信ノード１０６は、実質的に第１の時間間隔の間に高優先度コードストリーム１０８を受信し、実質的に第２の時間間隔の間に低優先度コードストリーム１１０を追加的に受信しうる。
【００２６】
あるいはまたは追加的に、通信受信ノード１０６は、中継ノード１０４からの増幅された高優先度コードストリーム１１２に含まれているデータを受信するように構成されうる。これらのおよび他の実施形態では、通信受信ノード１０６は、実質的に第２の時間間隔の間に、増幅された高優先度コードストリーム１１２を受信しうる。したがって、通信受信ノード１０６は、実質的に第２の時間間隔の間に、通信送信ノード１０２からの低優先度コードストリーム１１０と中継ノード１０４からの増幅された高優先度コードストリーム１１２とを受信するように構成されうる。これは、両者が、いくつかの実施形態によると、第２の時間間隔の間に通信受信ノード１０６に送信されうるからである。
【００２７】
あるいはまたは追加的に、通信受信ノード１０６は、増幅された高優先度コードストリーム１１２を低優先度コードストリーム１１０から分離するように構成されうる。例えば、通信受信ノード１０６は、増幅された高優先度コードストリーム１１２を低優先度コードストリーム１１０から分離するために、両者共に実質的に第２の時間間隔の間に受信される低優先度コードストリーム１１０と増幅された高優先度コードストリーム１１２との最小平均２乗誤差解析を実行することがありうる。
【００２８】
図２は、本明細書に記載されている少なくともいくつかの実施形態に従って構成されている図１の無線通信システム１００において送受信されるデータ２００の概略図である。図１および図２を組み合わせて参照すると、データ２００は、通信送信ノード１０２と関連する第１のデータ２００Ａと、中継ノード１０４と関連する第２のデータ２００Ｂと、通信受信ノード１０６と関連する第３のデータ２００Ｃとを含みうる。
【００２９】
より詳細には、通信送信ノード１０２と関連する第１のデータ２００Ａは、高優先度コードストリーム１０８に含まれる高優先度データＸ１と、低優先度コードストリーム１１０に含まれる低優先度データＸ２とを含みうる。高優先度データＸ１は、第１の時間間隔の間に通信送信ノード１０２によって送信され、継続時間ｔを有しうる。低優先度データＸ２は、第２の時間間隔の間に通信送信ノード１０２によって送信され、やはり継続時間ｔを有しうる。第１の時間間隔は図２では２０２で識別されており、第２の時間間隔は図２では２０４で識別されている。
【００３０】
中継ノード１０４と関連する第２のデータ２００Ｂは、第１の時間間隔２０２の間に高優先度コードストリーム１０８において通信送信ノード１０２から受信される高優先度データＸ１−Ｒ１と、第２の時間間隔２０４の間に増幅された高優先度コードストリーム１１２において通信受信ノード１０６に送信される増幅された高優先度データＸ１−Ａとを含みうる。いくつかの実施形態では、第２の時間間隔２０４の間に増幅された高優先度コードストリーム１１２において通信受信ノード１０６に送信される増幅された高優先度データＸ１−Ａの各ブロックは、第１の時間間隔２０２の直前の間に通信送信ノード１０２から受信された高優先度データＸ１−Ｒ１の対応するブロックの増幅されたものを含みうる。
【００３１】
通信受信ノード１０６と関連する第３のデータ２００Ｃは、第１の時間間隔２０２の間に高優先度コードストリーム１０８において通信送信ノード１０２から受信される高優先度データＸ１−Ｒ２を含みうる。しかし、第２の時間間隔２０４の間には、通信受信ノード１０６は、増幅された高優先度コードストリーム１１２において中継ノード１０４からの増幅された高優先度データＸ１−ＡＲと、低優先度コードストリーム１１０において通信送信ノード１０２からの低優先度データＸ２−Ｒとの一方または両方を受信しうる。いくつかの実施形態では、通信受信ノード１０６で、高優先度コードストリーム１０８の高優先度データＸ１−Ｒ２を第１の時間間隔２０２の間に、増幅された高優先度コードストリーム１１２の増幅された高優先度データＸ１−ＡＲを第２の時間間隔２０４の間に受信することにより、当初に送信された高優先度データＸ１に関する時間ダイバーシティが提供され、これにより、例えばエラーバーストを除去するまたは最小化することによって、当初に送信された高優先度データＸ１の受信パフォーマンスが向上しうる。
【００３２】
図３は、本明細書に記載されている少なくともいくつかの実施形態に従って構成されている、図１の通信送信ノード１０２と通信受信ノード１０６との例示的な実施形態のブロック図である。
【００３３】
この例示されている実施形態では、通信送信ノード１０２は、例えば、データソース３０２と、送信（ＴＸ）データプロセッサ３０４と、ＴＸ多入力多出力（ＭＩＭＯ）プロセッサ３０６と、１つまたは複数のトランシーバ３０８Ａ〜３０８Ｎと、１つまたは複数のアンテナ３１０Ａ〜３１０Ｎと、プロセッサ３１２と、メモリまたは他のコンピュータ可読記憶媒体３１４と、受信（ＲＸ）データプロセッサ３１６と、復調器３１８とを含みうる。トランシーバ３０８Ａ〜３０８Ｎは、それぞれが、送信機（ＴＭＴＲ）と受信機（ＲＣＶＲ）とを含みうる。
【００３４】
あるいはまたは追加的に、通信受信ノード１０６は、例えば、データソース３２０と、ＴＸデータプロセッサ３２２と、変調器３２４と、１つまたは複数のトランシーバ３２６Ａ〜３２６Ｎと、１つまたは複数のアンテナ３２８Ａ〜３２８Ｎと、プロセッサ３３０と、メモリまたは他のコンピュータ可読記憶媒体３３２と、ＲＸデータプロセッサ３３４とを含みうる。トランシーバ３２６Ａ〜３２６Ｎは、それぞれが、送信機（ＴＭＴＲ）と受信機（ＲＣＶＲ）とを含みうる。
【００３５】
次に、図３に示されている通信送信ノード１０２と通信受信ノード１０６とのコンポーネントの動作の例示的な実施形態について、説明される。通信送信ノード１０２では、多数のデータストリームのためのトラフィックデータが、データソース３０２からＴＸデータプロセッサ３０４に提供されうる。ＴＸデータプロセッサ３０４は、符号化されたデータを提供する当該データストリームのために選択された特定の符号化方式に基づいて、それぞれのデータストリームのためのトラフィックデータをフォーマットし、符号化し、インターリーブすることができる。
【００３６】
それぞれのデータストリームのための符号化されたデータは、ＯＦＤＭ技術を用いて、パイロットデータと多重化されうる。パイロットデータは、既知の態様で処理され受信機システムにおいてチャネル応答を推定するのに用いることができる既知のデータパターンを含みうる。次に、それぞれのデータストリームのための多重化されたパイロットデータと符号化されたデータとは、変調シンボルを提供する当該データストリームのために選択された特定の変調方式（例えば、ＢＰＳＫ、ＱＳＰＫ、Ｍ−ＰＳＫ、またはＭ−ＱＡＭ）に基づいて、変調されうる（すなわち、シンボルマッピングされうる）。
【００３７】
それぞれのデータストリームに対するデータレート、符号化、および変調は、メモリ３１４上に記憶されているコンピュータ実行可能命令を実行するプロセッサ３１２によって決定されうる。あるいはまたは追加的に、プロセッサ３１２は、メモリ３１４または他の場所に記憶されており、通信送信ノード１０２に本明細書に記載されている動作のうちの１つまたは複数を実行させるのに有効なコンピュータ実行可能命令を実行しうる。メモリ３１４は、データだけではなくてプログラムコードのようなコンピュータ実行可能命令、および／または、プロセッサ３１２もしくは通信送信ノード１０２の他のコンポーネントによって用いられる他の情報を記憶することができる。
【００３８】
次に、すべてのデータストリームに対する変調シンボルがＴＸ  ＭＩＭＯプロセッサ３０６に提供され、ＴＸ  ＭＩＭＯプロセッサ３０６がこの変調シンボル（例えば、ＯＦＤＭのために）をさらに処理することがありうる。次いで、ＴＸ  ＭＩＭＯプロセッサ３０６は、変調シンボルストリームをトランシーバ３０８Ａ〜３０８Ｎに提供しうる。いくつかの実施形態では、ＴＸ  ＭＩＭＯプロセッサ３０６は、データストリームのシンボルに、および／または、シンボルがそこから送信されるアンテナ３１０Ａ〜３１０Ｎに、ビームフォーミングウェイトを適用しうる。
【００３９】
それぞれのトランシーバ３０８Ａ〜３０８Ｎは、１つまたは複数のアナログ信号を提供するようにそれぞれのシンボルストリームを受信して処理し、ＭＩＭＯチャネル上の送信に適した変調された信号を提供するようにアナログ信号をさらに条件付ける（例えば、増幅する、フィルタリングする、かつ／またはアップコンバートする）ことがある。トランシーバ３０８Ａ〜３０８Ｎからの変調された信号は、次に、それぞれアンテナ３１０Ａ〜３１０Ｎから送信される。
【００４０】
通信受信ノード１０６において、変調され送信された信号は、アンテナ３２８Ａ〜３２８Ｎによって受信され、それぞれのアンテナ３２８Ａ〜３２８Ｎからの受信された信号は、それぞれのトランシーバ３２６Ａ〜３２６Ｎに提供されうる。それぞれのトランシーバ３２６Ａ〜３２６Ｎは、それぞれの受信された信号を条件付けし（例えば、フィルタリングし、増幅し、ダウンコンバートし）、条件付けされた信号をデジタル化してサンプルを提供し、さらにサンプルを処理して対応する「受信された」シンボルストリームを提供しうる。
【００４１】
次に、ＲＸデータプロセッサ３３４は、「検出された」シンボルストリームを提供するために、特定の受信機処理技術に基づいて、トランシーバ３２６Ａ〜３２６Ｎからの受信されたシンボルストリームを受け取り処理しうる。次いで、ＲＸデータプロセッサ３３４は、データストリームのためのトラフィックデータを回復するために、それぞれの検出されたシンボルストリームを復調し、デインターリーブして、復号しうる。ＲＸデータプロセッサ３３４による処理は、ＴＸ  ＭＩＭＯプロセッサ３０６とＴＸデータプロセッサ３０４とによって通信送信ノード１０２において実行される処理に対して、相補的でありうる。
【００４２】
プロセッサ３３０は、どのプリコーディング行列を用いるべきかを周期的に判断しうる。プロセッサ３３０は、行列インデクス部分とランク値部分とを含む逆方向リンクメッセージを定式化しうる。あるいはまたは追加的に、プロセッサ３３０は、メモリ３３２または他の場所に記憶されており通信受信ノード１０６に本明細書に記載されている動作の１つまたは複数を実行させるのに有効なコンピュータ実行可能命令を実行することができる。メモリ３３２は、データだけではなくてプログラムコードのようなコンピュータ実行可能命令、および／または、プロセッサ３１２もしくは通信受信ノード１０６の他のコンポーネントによって用いられる他の情報を記憶することができる。
【００４３】
逆方向リンクメッセージは、通信受信ノード１０６によって生成され、通信受信ノード１０６と通信送信ノード１０２との間の通信リンクに関する、および／または、受信されたデータストリームに関する、様々なタイプの情報を含みうる。逆方向リンクメッセージは、データソース３２０からの１つまたは複数のデータストリームのためのトラフィックデータを受信することもできるＴＸデータプロセッサ３２２によって処理され、変調器３２４によって変調され、トランシーバ３２６Ａ〜３２６Ｎによって条件付けされ、通信送信ノード１０２へと送り返されてもよい。
【００４４】
通信送信ノード１０２においては、通信受信ノード１０６からの変調された信号がアンテナ３１０Ａ〜３１０Ｎによって受信され、トランシーバ３０８Ａ〜３０８Ｎによって条件付けされ、復調器３１８によって復調され、ＲＸデータプロセッサ３１６によって処理されることにより、通信受信ノード１０６によって送信された逆方向リンクメッセージが抽出される。次に、プロセッサ３１２は、ビームフォーミングウェイトを決定するのにどのプリコーディング行列を用いるべきかを決定し、および／または、次に抽出されたメッセージを処理しうる。
【００４５】
図４は、本明細書に記載されている少なくともいくつかの実施形態に従って構成された、無線通信システムでデータを送信する方法４００の例示的な流れ図を示している。方法４００は、例えば図１の無線通信システム１００における通信送信ノード１０２などによって、全体としてまたは部分的に実行されうる。方法４００は、ブロック４０２、４０４および／または４０６のうちの１つまたは複数によって例示されているように、様々な動作、機能または作用を含む。方法４００は、ブロック４０２で開始しうる。
【００４６】
ブロック４０２［「通信受信ノードに向けられたデータを、高優先度コードストリームと低優先度コードストリームとに分割する」］では、図１の通信受信ノード１０６などの通信受信ノードに向けられたデータが、図１の高優先度および低優先度コードストリーム１０８、１１０などの高優先度コードストリームと低優先度コードストリームに分割される。データは、このデータの相対的な重要性に基づいて、高優先度コードストリームと低優先度コードストリームに分割されうる。例えば、階層的ビデオ符号化方式を用いて符号化されたビデオデータは、基本レイヤと強化レイヤとを含みうる。いくつかの実施形態では、基本レイヤは強化レイヤよりも相対的により重要であると考えてもよく、したがって、基本レイヤは高優先度コードストリームに含まれうるが、強化レイヤは低優先度コードストリームに含まれうる。
【００４７】
高優先度コードストリームと低優先度コードストリームとに含まれるデータは、符号化されうる。これらのおよび他の実施形態では、高優先度コードストリームと低優先度コードストリームでのデータの符号化は、同じ場合と異なる場合とがありうる。あるいはまたは追加的に、高優先度コードストリームは通信受信ノードのための基本通信サービスを保証するように構成されうるとともに、低優先度コードストリームは通信受信ノードのための通信サービスを強化するように構成されうる。ブロック４０２の次には、ブロック４０４が続きうる。
【００４８】
ブロック４０４［「高優先度コードストリームを、通信受信ノードと中継ノードとに送信する」］では、高優先度コードストリームが、通信受信ノードと中継ノードとに送信されうる。これらのおよび他の実施形態では、中継ノードは、高優先度コードストリームを受信し、増幅して、通信受信ノードに転送するように構成されうる。あるいはまたは追加的に、通信受信ノードは、実質的に第１の時間間隔の間に高優先度コードストリームを受信するように構成され、実質的に第１の時間間隔とインターリーブされた第２の時間間隔の間に、低優先度コードストリームと増幅された高優先度コードストリームとの両方を受信するようにさらに構成されうる。あるいはまたは追加的に、高優先度コードストリームを通信受信ノードと中継ノードとに送信することは、高優先度コードストリームに含まれるデータを第１の時間間隔の間に送信することを含みうる。ブロック４０４の次には、ブロック４０６が続きうる。
【００４９】
ブロック４０６［「低優先度コードストリームを、通信受信ノードに送信する」］では、低優先度コードストリームが、通信受信ノードに送信されうる。低優先度コードストリームを通信受信ノードに送信することは、低優先度コードストリームに含まれるデータを第２の時間間隔の間に送信することを含みうる。
【００５０】
本明細書に開示されているいくつかの実施形態は、図４のブロック４０２、４０４、および／または４０６によって例示されている動作など、図４の方法４００に含まれる動作を実行するようにコンピューティングデバイスによって実行可能なコンピュータ実行可能命令が記憶されているコンピュータ可読記憶媒体を含む。これらのおよび他の実施形態では、コンピューティングデバイスは、通信送信ノードに含まれうる。例えば、コンピューティングデバイスは、図３の通信送信ノード１０２に含まれるプロセッサ３１２を含みうる。あるいはまたは追加的に、コンピュータ可読記憶媒体は、図３の通信送信ノード１０２に含まれるメモリ３１４を含みうる。
【００５１】
本明細書に開示されているこのおよび他の処理ならびに方法に関し、処理および方法で実行される機能は異なる順序での実装も可能であるということは、当業者であれば理解するはずである。さらに、概説されているステップおよび動作は単なる例として提供されているにすぎず、開示されている実施形態の本質を損ねることなく、ステップおよび動作のうちのいくつかは、任意選択とすることができる、組み合わせてより少数のステップおよび動作にすることができる、または追加的なステップおよび動作に拡張することができる。
【００５２】
例えば、低優先度コードストリームが通信受信ノードに送信されるブロック４０６は、無線通信システムにおけるデータトラフィックを低減させるために、省略することが可能である。データトラフィックの減少は、無線通信システムにおけるシステムリソースに対する要求が大きな期間、リソースの利用可能性が低い期間、および／または他の場合に、望ましいことがありうる。これらのおよび他の実施形態では、通信受信ノードに送信されるおよび中継ノードによって通信受信ノードに転送される高優先度コードストリームは、通信受信ノードのための基本通信サービスを保証することができるとともに、システムリソースに対する要求は、低優先度コードストリームを送信しないことによって減少させることができる。
【００５３】
図５は、本明細書に記載されている少なくともいくつかの実施形態に従って構成されている、無線通信システムにおいてデータを受信する方法５００の例示的な流れ図を示している。方法５００は、全体として、または部分的に、例えば図１の無線通信システム１００における通信受信ノード１０６などによって、実行されうる。方法５００は、ブロック５０２、５０４、５０６の１つまたは複数によって例示されているように、様々な動作、機能または作用を含む。方法５００は、ブロック５０２で開始しうる。
【００５４】
ブロック５０２［「実質的に第１の時間間隔の間に、高優先度コードストリームを通信送信ノードから受信する」］では、通信送信ノードからの高優先度コードストリームが、実質的に第１の時間間隔の間に受信される。第１の時間間隔２０２は、例えば、図２の第１の時間間隔に対応しうる。高優先度コードストリームは、高優先度コードストリームを受信する通信受信ノードのための基本通信サービスを保証するように構成されうる。ブロック５０２の次には、ブロック５０４が続きうる。
【００５５】
ブロック５０４［「実質的に第２の時間間隔の間に、低優先度コードストリームを通信送信ノードから受信する」］では、通信送信ノードからの低優先度コードストリームが、実質的に第２の時間間隔の間に受信されうる。第２の時間間隔は、例えば、図２の第２の時間間隔２０４に対応しうる。低優先度コードストリームは、高優先度コードストリームだけが受信されるときの受信品質に対して、通信受信ノードのための通信サービスを強化するように構成されうる。ブロック５０４の次には、ブロック５０６が続きうる。
【００５６】
ブロック５０６［「実質的に第２の時間間隔の間に、増幅された高優先度コードストリームを中継ノードから受信する」］では、中継ノードからの増幅された高優先度コードストリームが、実質的に第２の時間間隔の間に受信されうる。いくつかの実施形態では、第１の時間間隔の間に高優先度コードストリームを受信し、第２の時間間隔の間に増幅された高優先度コードストリームを受信するというように、両方を受信することによって、高優先度コードストリームに含まれるデータに対する時間ダイバーシティが与えられる。通信受信ノードは、この時間ダイバーシティを利用して、例えばエラーバーストを最小化するまたは減少させ、それによって、受信パフォーマンスを向上させることができる。
【００５７】
方法５００は、図５に例示されているよりも多数のまたはそれよりも少数のステップを含むように、修正することが可能である。例えば、低優先度コードストリームが通信送信ノードから受信されるブロック５０４は、例えば、通信送信ノードが低優先度コードストリームを送信しない場合、またはそうでなければ、通信受信ノードが低優先度コードストリームを受信できない場合には、省略することができる。図４に関して上述したように、通信送信ノードは、システムリソースに対する要求が大きい期間、リソースの利用可能性が低い期間、またはそれに類似する期間には、低優先度コードストリームを送信しないという決定をすることができる。これらのおよび他の実施形態では、通信送信ノードから受信される高優先度コードストリームと中継ノードから受信される増幅された高優先度コードストリームとにより、低優先度コードストリームが存在しない場合であっても、通信受信ノードのための基本通信サービスが保証されうる。
【００５８】
別の例として、方法５００は、増幅された高優先度コードストリームを低優先度コードストリームから分離することをさらに含む場合もありうる。増幅された高優先度コードストリームを低優先度コードストリームから分離することは、受信された低優先度コードストリームと増幅された高優先度コードストリームとについて最小平均２乗誤差解析を実行することを含みうる。
【００５９】
さらに別の例として、方法５００は、サービスの品質を向上させるために、低優先度コードストリームと高優先度コードストリームとを組み合わせることをさらに含みうる。低優先度コードストリームと高優先度コードストリームとは、高優先度コードストリームと低優先度コードストリームとにおけるデータがビデオデータを含む実施形態において階層的なビデオデコーダなどの特定のデコーダを用いることにより、組み合わせることが可能である。
【００６０】
本明細書に開示されているいくつかの実施形態には、図５におけるブロック５０２、５０４、および／または５０６によって例示されている動作など、図５の方法５００に含まれている動作を実行するためにコンピューティングデバイスによって実行可能なコンピュータ実行可能命令が記憶されているコンピュータ可読記憶媒体が含まれる。これらのおよび他の実施形態において、コンピューティングデバイスは、通信受信ノードに含まれうる。例えば、このコンピューティングデバイスは、図３の通信受信ノード１０６に含まれるプロセッサ３３０を含みうる。あるいはまたは追加的に、コンピュータ可読記憶媒体は、図３の通信受信ノード１０６に含まれているメモリ３３２を含みうる。
【００６１】
図６は、本明細書に記載されている少なくともいくつかの実施形態に従って構成されている様々な無線通信システムの間の性能（capacity）を比較するグラフである。図６は、第１の曲線６０２と第２の曲線６０４とを含んでいる。第１の曲線６０２は、第１の無線通信システムにおいてシミュレートされた性能を距離Ｄ（単位は、キロメートル（ｋｍ））の関数として表しうる。第１の無線通信システムは、概して、図１に例示されているように構成可能であって、通信送信ノードと、中継ノードと、通信受信ノードとを含むことができ、これらすべては概ね、上述したように構成されている。距離Ｄは、通信送信ノードから通信受信ノードまでの距離を示すことができる。次の表１には、第１の曲線６０２のシミュレーションにおいて用いられた様々なシミュレーションパラメータが与えられている。
【００６２】
【表１】
0005769876.tif 000002
【００６３】
第２の曲線６０４は、第２の無線通信システムにおいてシミュレートされた性能を、距離Ｄの関数として表しうる。第２の無線通信システムは、中継ノードを含まず、通信送信ノードと通信受信ノードとを含みうる。さらに、第２の無線通信システムは、中継ノードが存在しない無線通信システムにおいて用いられることが多い標準的な高カバレッジブロードキャストモードを実装しうる。
【００６４】
第１および第２の曲線６０２、６０４を比較することによって図６に見られるように、第１および第２の無線通信システムの性能は、Ｄ＝０ｋｍから約Ｄ＝１．１５ｋｍまでは実質的に同一である。しかし、約Ｄ＝１．１５ｋｍから約Ｄ＝２ｋｍでは、中継ノードを含んでおり本明細書に開示されているように概して構成されている第１の無線通信システムの性能は、中継ノードを欠いている第２の無線通信システムの性能と比較して著しく向上している。
【００６５】
図７は、少なくともいくつかの実施形態に従って構成されている様々な無線通信システムの間で動作停止発生率を比較しているグラフである。図７は、第１の曲線７０２と、第２の曲線７０４と、第３の曲線７０６とを含んでいる。第１の曲線７０２は、図６との関係で記載した第１の無線通信システムにおける高優先度コードストリームについて、シミュレートされた動作停止を、距離Ｄ（単位ｋｍ）の関数として表しうる。第２の曲線７０４は、第１の無線通信システムにおける低優先度コードストリームについて、シミュレートされた動作停止を、距離Ｄの関数として表しうる。第３の曲線７０６は、図６との関係で記載した第２の無線通信システムにおける標準的な送信ストリームについて、シミュレートされた動作停止を、距離Ｄの関数として表しうる。
【００６６】
第１、第２および第３の曲線７０２、７０４、７０６を比較することによって図７に見られるように、高優先度コードストリームの動作停止（第１の曲線７０２）は、約１ｋｍから約２ｋｍにおいて、標準的な送信ストリームの動作停止（第３の曲線７０６）よりも著しく少ない。さらに、低優先度コードストリームの動作停止（第２の曲線７０４）は、約１．２５ｋｍから約２ｋｍにおいて、標準的な送信ストリームの動作停止よりも著しく少ない。
【００６７】
本明細書に記載されているいくつかの実施形態は、例えば、システムの性能を向上させることにより、もしくは、ユーザの動作停止発生率を減少させることにより、またはそれ以外の点でパフォーマンスを向上させることにより、無線通信システムのパフォーマンスを向上させうることが、図６および図７から見ることができる。あるいはまたは追加的に、本明細書に記載されているいくつかの実施形態は、無線通信システムに低コストの中継ノードを追加し、階層的な送信方式を実装することによって、既存の無線通信システムにおいて実装することが可能である。したがって、本明細書に記載されているいくつかの実施形態は、無線通信システムのオペレータが無線システムのカバレッジを効率的かつ柔軟に拡げ、また、システムに関するユーザの体験を向上させることを可能にすることにより、顧客規模を拡大し営業利益を増大させる。
【００６８】
本開示は、本明細書に記載され様々な態様の例示として意図されている特定の実施形態に限定されることはない。当業者には明らかであるように、その精神および範囲から逸脱することなく、多くの修正および変更を行うことが可能である。本明細書で列挙されたものに加えて、本開示の範囲に含まれる機能的に均等な方法および装置が、以上の記載から当業者には明らかなはずである。そのような修正形態および変更形態は、添付の特許請求の範囲に属することが意図されている。本開示は、特許請求の範囲が及ぶ均等物の全範囲と共に、添付の特許請求の範囲の文言によってのみ限定される。本開示は、当然に変動の余地がある特定の方法、試薬、化合物、組成または生物系に限定されないことを理解すべきである。また、本明細書で用いられている用語は特定の実施形態を説明する目的のみを有するのであって、限定を意図していないことも理解すべきである。
【００６９】
本明細書における実質的にすべての複数形および／または単数形の用語の使用に対して、当業者は、状況および／または用途に適切なように、複数形から単数形に、および／または単数形から複数形に変換することができる。様々な単数形／複数形の置き換えは、理解しやすいように、本明細書で明確に説明することができる。
【００７０】
通常、本明細書において、特に添付の特許請求の範囲（例えば、添付の特許請求の範囲の本体部）において使用される用語は、全体を通じて「オープンな（ｏｐｅｎ）」用語として意図されていることが、当業者には理解されよう（例えば、用語「含む（ｉｎｃｌｕｄｉｎｇ）」は、「含むがそれに限定されない（ｉｎｃｌｕｄｉｎｇ  ｂｕｔ  ｎｏｔ  ｌｉｍｉｔｅｄ  ｔｏ）」と解釈されるべきであり、用語「有する（ｈａｖｉｎｇ）」は、「少なくとも有する（ｈａｖｉｎｇ  ａｔ  ｌｅａｓｔ）」と解釈されるべきであり、用語「含む（ｉｎｃｌｕｄｅｓ）」は、「含むがそれに限定されない（ｉｎｃｌｕｄｅｓ  ｂｕｔ  ｉｓ  ｎｏｔ  ｌｉｍｉｔｅｄ  ｔｏ）」と解釈されるべきである、など）。導入される請求項で具体的な数の記載が意図される場合、そのような意図は、当該請求項において明示的に記載されることになり、そのような記載がない場合、そのような意図は存在しないことが、当業者にはさらに理解されよう。例えば、理解の一助として、添付の特許請求の範囲は、導入句「少なくとも１つの（ａｔ  ｌｅａｓｔ  ｏｎｅ）」および「１つまたは複数の（ｏｎｅ  ｏｒ  ｍｏｒｅ）」を使用して請求項の記載を導くことを含む場合がある。しかし、そのような句の使用は、同一の請求項が、導入句「１つまたは複数の」または「少なくとも１つの」および「ａ」または「ａｎ」などの不定冠詞を含む場合であっても、不定冠詞「ａ」または「ａｎ」による請求項の記載の導入が、そのように導入される請求項の記載を含む任意の特定の請求項を、単に１つのそのような記載を含む実施形態に限定する、ということを示唆していると解釈されるべきではない（例えば、「ａ」および／または「ａｎ」は、「少なくとも１つの」または「１つまたは複数の」を意味すると解釈されるべきである）。同じことが、請求項の記載を導入するのに使用される定冠詞の使用にも当てはまる。また、導入される請求項の記載で具体的な数が明示的に記載されている場合でも、そのような記載は、少なくとも記載された数を意味すると解釈されるべきであることが、当業者には理解されよう（例えば、他の修飾語なしでの「２つの記載（ｔｗｏ  ｒｅｃｉｔａｔｉｏｎｓ）」の単なる記載は、少なくとも２つの記載、または２つ以上の記載を意味する）。さらに、「Ａ、ＢおよびＣ、などの少なくとも１つ」に類似の慣例表現が使用されている事例では、通常、そのような構文は、当業者がその慣例表現を理解するであろう意味で意図されている（例えば、「Ａ、Ｂ、およびＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステムを含むが、それに限定されない）。「Ａ、Ｂ、またはＣ、などの少なくとも１つ」に類似の慣例表現が使用されている事例では、通常、そのような構文は、当業者がその慣例表現を理解するであろう意味で意図されている（例えば、「Ａ、Ｂ、またはＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステムを含むが、そ���に限定されない）。２つ以上の代替用語を提示する事実上いかなる離接する語および／または句も、明細書、特許請求の範囲、または図面のどこにあっても、当該用語の一方（ｏｎｅ  ｏｆ  ｔｈｅ  ｔｅｒｍｓ）、当該用語のいずれか（ｅｉｔｈｅｒ  ｏｆ  ｔｈｅ  ｔｅｒｍｓ）、または両方の用語（ｂｏｔｈ  ｔｅｒｍｓ）を含む可能性を企図すると理解されるべきであることが、当業者にはさらに理解されよう。例えば、句「ＡまたはＢ」は、「Ａ」または「Ｂ」あるいは「ＡおよびＢ」の可能性を含むことが理解されよう。
【００７１】
さらに、本開示の特徴や態様がマーカッシュグループとして記載されている場合には、当業者であれば、そのような開示が、そのマーカッシュグループの任意の個々の構成要素または複数の構成要素から構成されるサブグループとしても記載されることを理解するはずである。
【００７２】
当業者であれば理解するように、任意のおよびすべての目的について、記載された説明を提供することに関し、本明細書で開示されているすべての範囲は、任意のおよびすべての可能性のある下位の範囲と下位の範囲の組合せとにも及ぶ。任意のリスト化されている範囲は、同一の範囲が、少なくとも、等しい２分の１、３分の１、４分の１、５分の１、１０分の１などに分割されることを十分に説明し可能にしているものとして、容易に認識されうる。非限定的な例として、本明細書で論じられているそれぞれの範囲は、下位の３分の１、中間の３分の１、上位の３分の１などに容易に分割することができる。また、当業者であれば理解するように、「まで」や「少なくとも」などのすべての言葉は、言及された数字を含み、上述したように、以後に下位の範囲に分割することができる範囲にも及ぶ。最後に、当業者に理解されるように、範囲はそれぞれの個別の構成要素を含む。したがって、例えば、１から３個のセルを有するグループは、１、２または３個のセルを有するグループに及ぶ。同様にして、１から５個のセルを有するグループは、１、２、３、４または５個のセルを有するグループに及ぶ、などである。
【００７３】
本明細書では本開示の様々な実施形態について説明の目的で記載してきたが、本開示の範囲および精神から逸脱することなく様々な修正を行いうることは、以上から理解されるであろう。したがって、本明細書において開示されている様々な実施形態は、限定を意図しておらず、真の範囲および精神は、添付の特許請求の範囲によって示される。
【図１】
0005769876.tif 000003
【図２】
0005769876.tif 000004
【図３】
0005769876.tif 000005
【図４】
0005769876.tif 000006
【図５】
0005769876.tif 000007
【図６】
0005769876.tif 000008
【図７】
0005769876.tif 000009